(57)【要約】本発明の目的は、歯胚を再生する方法を提供すること、より具体的には、辺縁性歯周炎（歯槽膿漏）やう蝕などの歯科疾患により歯牙を欠損又は損傷した患者を治療することを可能にする歯胚の再生方法を提供することである。本発明によれば、歯胚細胞を機械的刺激を与えながら培養することを含む、歯胚の再生方法および再生歯胚が提供される。
2003101503.tif 000002
【特許請求の範囲】
【請求項１】
歯胚細胞およびこれらの細胞に分化可能な細胞のうち少なくとも１種類に機械的刺激を与えて培養することで歯胚を再生する方法。
【請求項２】
上記少なくとも１種類の細胞は、象牙芽細胞、エナメル芽細胞、歯髄あるいは歯乳頭細胞、歯嚢細胞、またはこれらの前駆細胞であることを特徴とする請求項１に記載の歯胚を再生する方法。
【請求項３】
上記少なくとも１種類の細胞は生体から採取した組織を細片化し酵素処理してから分離回収して得ることを特徴とする請求項１から３いずれかに記載の歯胚を再生する方法。
【請求項４】
上記少なくとも１種類の細胞を担体上に播種し、該担体上で上記機械的刺激を与えながら培養することを特徴とする請求項１から３のいずれかに記載の歯胚を再生する方法。
【請求項５】
上記担体について、材質は移植先の生体に対する親和性と生体吸収性を有し、その形状は再生する目的形状でありかつ血行の導入部分を有する担体を用いることを特徴とする請求項４に記載の歯胚を再生する方法。
【請求項６】
上記担体は、ポリグリコール酸（ＰＧＡ）、ポリ（ＤＬ−ラクチドーコーグリコリド）（ＰＬＧＡ）、ポリ（ＤＬ−ラクチド）（ＰＬＬＡ）、カプロラクトン、コラーゲン、あるいは象牙質などの天然材料のうち少なくとも１つからなることを特徴とする請求項４記載の歯胚を再生する方法。
【請求項７】
上記担体には、メッシュ、スポンジ、およびゲルの形態のうち少なくとも１つの形態部分が含まれることを特徴とする請求項４から６のいずれかに記載の歯胚を再生する方法。
【請求項８】
上記機械的刺激として、振盪培養、超音波処理、伸展刺激、加圧下培養のうち少なくとも１つの機械的刺激を上記少なくとも１種類の細胞に与えることを特徴とする請求項１から７のいずれかに記載の歯胚を再生する方法。
【請求項９】
上記機械的刺激を与えて培養した少なくとも１種類の細胞を動物の体内に移植して該動物の体内で歯胚に再生させることを特徴とする請求項１から８のいずれかに記載の歯胚を再生する方法。
【請求項１０】
上記動物は哺乳動物であることを特徴とする請求項９に記載の歯胚を再生する方法。
【請求項１１】
上記動物の体内の血流の豊富な部位に上記少なくとも１種類の細胞を移植することを特徴とする請求項９または１０のいずれかに記載の歯胚を再生する方法。
【請求項１２】
上記少なくとも１種類の細胞を上記担体上に播種し、該担体上で約５０回／分の振動数で振盪培養することで分化誘導および増殖を促進することを特徴とする請求項８に記載の歯胚を再生する方法。
【請求項１３】
上記少なくとも１種類の細胞を上記担体上に播種し、該担体上で約５０回／分の振動数で振盪培養することで分化誘導および増殖を促進し、動物体内に移植して後約１５週間後に再生歯胚を摘出することを特徴とする請求項９に記載の歯胚を再生する方法。
【請求項１４】
請求項１から１３に記載のいずれかの方法によって再生された歯胚。
【請求項１５】
上記再生された歯胚には、象牙質、歯乳頭、エナメル髄のうち少なくとも１つを有することを特徴とする請求項１４に記載の再生された歯胚。
【請求項１６】
請求項１から１３に記載のいずれかの方法によって再生された歯胚を歯胚欠損または損傷を有する患者の顎骨に移植することで該患者に再生歯胚を付与することを特徴とする治療方法。
【発明の詳細な説明】
技術分野
本発明は、歯胚の再生方法に関する。より詳細には、本発明は、歯胚細胞に機械的刺激を与えながら培養することにより歯胚を再生する方法に関する。本発明はさらに、上記方法により再生された歯胚を用いて歯科患者を治療する方法に関する。
背景技術
現代社会は高齢化社会であり、数年後には日本国民人口の約２０％が６５歳以上の高齢者になることが予想されている。これら高齢者の大多数は、何らかの理由により一部又は全部の歯牙を喪失しており、多くの人は可綴式義歯（いわゆる入れ歯）を使用している。従来の義歯は、着脱が必要で装着感もよくないなどの実際的問題のみならず、心理的にも老化の象徴といった印象があり、できれば義歯を使用したくないというのが患者の一般的認識である。さらに、全ての歯牙を喪失した場合に、総義歯を装着すると、その咀嚼能力は通常の天然歯牙の約５分の１となることが知られている。多くの高齢者にとって楽しみの一つである食事が歯の喪失のため苦痛となる場合も少なくない。さらに、脳に対する咀嚼刺激は痴呆防止の効果があり、咀嚼力の低下は痴呆の促進になることが明らかになってきている。
これに対して近年、人工歯根が開発され臨床に応用されている。人工歯根の応用により義歯が固定され、維持がよくなり、咀嚼力も改善される。しかし、審美性、装着感に関しては未だ満足のいくものではない。また、手術が必要であること、一定量の骨が必要であり、全身状態によっても制限されること、さらに多額の費用がかかり、信頼できる医療機関も限られることなどの理由から、未だインプラント義歯は広く普及しているとは言えない。その結果、義歯に不満を感じている患者が少なくないにもかかわらず、インプラント義歯の使用者は義歯使用者のうちの極わずかである。
一方、他家移植による歯牙移植の報告はあるが、移植できる健康な抜去歯牙を確保することは困難であるのみならず、感染症の危険もあり、一般的な治療とはなっていない。義歯に不満を感じながらインプラントに踏み込めないか、あるいは条件的にインプラント治療が困難な多数の患者が存在している。
現在までに、歯科に関する再生の研究は、歯周組織の再生に注目が置かれ、骨の再生、歯根膜の再生を中心に研究されてきた。これらの研究の成果として、ＧＴＲ法（Ｇｕｉｄｅｄ  Ｔｉｓｓｕｅ  Ｒｅｇｅｎｅｒａｔｉｏｎ法）が開発された。ＧＴＲ法とは、例えばミリポアフィルター（ＭＩＬＬＩＰＯＲＥ  ＦＩＬＴＥＲ，ミリポア社商品名）などの膜によって、歯根面への上皮細胞等の侵入を抑制し、歯根膜細胞の増殖に必要な空間を形成させる方法である（Ｎｙｍａｎら，Ｊ．Ｃｌｉｎ．Ｐｅｒｉｏｄｏｎｔｏｌ．，９，２９０（１９８２））。ＧＴＲ法は、歯周病に罹患した歯牙周囲に歯槽骨と歯根膜を再生させることを目的とするものであり、軽症例では大きな成果を挙げている。また、近年、歯根膜再生を可能にするタンパク質が開発され、実用化されている。しかしながら、ＧＴＲ法は、歯牙喪失の原因となる高度の歯槽骨の吸収には応用できず、またう蝕による歯牙の崩壊を修復することはできない。
上記した問題点を根本的に解決する方策として、歯胚そのものを再生する方法が提案され、検討が行われているが（Ｃ．Ｓ．Ｙｏｕｎｇ  ｅｔ  ａｌ  Ｊ．Ｄｅｎｔ．Ｒｅｓ．８１（１０），６９５−２０００，２００２；およびＴｉｓｓｕｅ  Ｅｎｇｉｎｅｅｒｉｎｇ，Ｖｏｌ．７，Ｎｕｍｂｅｒ５，６２４，Ｏｃｔｏｂｅｒ２００１）、未だ小さな組織が形成できたのみで、実際の治療に供することが可能な程の大きさの組織形成はできていなかった。
発明の開示
本発明は上記した従来技術の問題点を解消することを解決すべき課題とした。即ち、本発明は、歯胚を再生する方法を提供すること、より具体的には、歯槽膿漏やう蝕などの歯科疾患により歯牙を欠損又は損傷した患者を治療することを可能にする歯胚の再生方法を提供することを解決すべき課題とした。さらに本発明は、再生した歯胚を用いて歯牙を欠損又は損傷した患者を治療する方法を提供することを解決すべき課題とした。
本発明者らは、上記課題を解決するために鋭意検討した結果、歯胚細胞を機械的刺激を与えながら培養することにより、歯胚細胞の分化誘導を促進し、細胞の増殖を促進でき、さらに培養歯胚細胞の生存率を向上できることを見出し、本発明を完成するに至った。
即ち、本発明によれば、歯胚細胞およびこれらの細胞に分化可能な細胞のうち少なくとも１種類に機械的刺激を与えて培養することで歯胚を再生する方法が提供される。
好ましくは、上記少なくとも１種類の細胞は、象牙芽細胞、エナメル芽細胞、歯髄あるいは歯乳頭細胞、歯嚢細胞、またはこれらの前駆細胞である。
好ましくは、上記少なくとも１種類の細胞は生体から採取した組織を細片化し酵素処理してから分離回収して得る。
好ましくは、上記少なくとも１種類の細胞を担体上に播種し、該担体上で上記機械的刺激を与えながら培養する。
好ましくは、上記担体について、材質は移植先の生体に対する親和性と生体吸収性を有し、その形状は再生する目的形状でありかつ血行の導入部分を有する担体を用いる。
好ましくは、上記担体は、ポリグリコール酸（ＰＧＡ）、ポリ（ＤＬ−ラクチドーコーグリコリド）（ＰＬＧＡ）、ポリ（ＤＬ−ラクチド）（ＰＬＬＡ）、カプロラクトン、コラーゲン、あるいは象牙質などの天然材料のうち少なくとも１つからなる。
好ましくは、上記担体には、メッシュ、スポンジ、およびゲルの形態のうち少なくとも１つの形態部分が含まれる。
好ましくは、上記機械的刺激として、振盪培養、超音波処理、伸展刺激、加圧下培養のうち少なくとも１つの機械的刺激を上記少なくとも１種類の細胞に与える。
好ましくは、上記機械的刺激を与えて培養した少なくとも１種類の細胞を動物の体内に移植して該動物の体内で歯胚に再生させることを特徴とする歯胚を再生する方法が提供される。
好ましくは、上記動物は哺乳動物である。
好ましくは、上記動物の体内の血流の豊富な部位に上記少なくとも１種類の細胞を移植する。
好ましくは、上記少なくとも１種類の細胞を上記担体上に播種し、該担体上で約５０回／分の振動数で振盪培養することで分化誘導および増殖を促進することを特徴とする歯胚を再生する方法が提供される。
好ましくは、上記少なくとも１種類の細胞を上記担体上に播種し、該担体上で約５０回／分の振動数で振盪培養することで分化誘導および増殖を促進し、動物体内に移植して後約１５週間後に再生歯胚を摘出することを特徴とする歯胚を再生する方法が提供される。
本発明によればさらに、上記した本発明の方法によって再生された歯胚が提供される。
好ましくは、上記再生された歯胚には、象牙質、歯乳頭、エナメル髄のうち少なくとも１つを有する。
本発明によればさらに、上記した何れかの方法により再生された歯胚を歯胚欠損または損傷を有する患者の顎骨に移植することで該患者に再生歯胚を付与することを特徴とする治療方法が提供される。
発明を実施するための最良の形態
以下、本発明の実施の形態について詳細に説明する。
本発明による歯胚の再生方法は、歯胚細胞を機械的刺激を与えながら培養することを特徴とするものである。
本発明で用いる歯胚細胞としては、歯胚を構成する細胞あるいはこれらの細胞に分化することができる細胞であれば特にその種類は限定されず、例えば、象牙芽細胞、エナメル芽細胞、歯髄あるいは歯乳頭細胞、歯嚢細胞、又はこれらの前駆細胞を使用することができる。これらの細胞は、１種類の細胞から成る単一の細胞として培養してもよいし、２種類以上の細胞から成る細胞混合物として培養してもよい。
歯胚細胞は、哺乳動物（例えば、ヒト、豚など）の下顎骨から採取することができる。埋伏歯を無菌的に取り出し、Ｈａｎｋｓ  ｂａｌａｎｃｅｄ  ｓａｌｔ  ｓｏｌｕｔｉｏｎ（ＨＢＳＳ）溶液などの適当な保存液で保存する。歯牙の中の石灰化した部分を取り除き，メスにて組織を小片にして、ＨＢＳＳ溶液などを用いて組織を洗浄する。次いで、コラゲナーゼとディスパーゼを用いて組織を酵素処理することが好ましい。酵素処理後、ピペッティング操作と遠心操作により細胞を回収することができる。
本発明の方法に従って再生した歯胚は、歯科患者（即ち、歯牙の欠損又は損傷を有する患者）に移植することにより、該患者の治療のために用いられる。この場合、移植に伴う生体適合性などの観点から、再生に用いる歯胚細胞は、該患者に由来する自分の歯胚細胞を用いることが好ましい。歯胚を構成する細胞あるいは歯胚に分化する細胞は、親知らず（智歯）からも採取することができる。
また、歯牙は、発生から成熟するまでに５つの段階を経て形成されることが知られている。第一期は、開始期と呼ばれ、基底膜に上皮組織と間葉組織が誘導される。第二期は、蕾状期と呼ばれエナメル器が作られる。第三期は帽状期と呼ばれ、歯乳頭が形成され、歯胚が形成される。第四期は鐘状期と呼ばれ、歯胚からエナメル質を形成する細胞への分化と歯乳頭から象牙質と歯髄を形成する細胞への分化が開始される。第五期は成熟期と呼ばれ、エナメル質と象牙質と歯髄などの歯牙を構成する組織へと分化する。本発明においては、これらのうちの好適な時期の細胞を採取して用いることができる。また、歯胚が存在していない症例では、歯根より歯髄や歯根膜を摘出して細胞を分離採取することができる。なお、歯牙からの歯髄の摘出は、Ａｂｏｕｔ  Ｉ．，他Ｅｘｐｅｒｉｍｅｎｔａｌ  ｃｅｌｌ  ｒｅｓｅａｒｃｈ．２５８．３３−４１，２０００に記載の方法に従って行うことができる。
また、本発明で言う「歯胚の再生」とは、上記５段階のうちの第二期以降の歯胚を再生することを言う。
本発明では、歯胚細胞を機械的刺激を与えながら培養する。機械的刺激は、例えば、細胞を振盪培養したり、細胞に超音波処理を施したり、伸展刺激あるいは加圧下で培養することなどにより与えることができる。好ましくは、細胞を振盪培養する。振盪培養は、細胞と培地を含む容器を振盪器の上に設置して、適当な速度（例えば、１０〜１００回／分程度）で振盪しながら細胞を培養することで行うことができる。
細胞の培養は、動物細胞の培養に用いる通常の血清入り培地を用いて、通常の動物細胞の培養条件（例えば、室温から３７℃の温度；５％ＣＯ２インキュベーター内など）の下で行なうことができる。
本発明において歯胚細胞に刺激を与える場合、歯胚細胞の培養は担体上で行ってもよいし、担体なしで培養してもよいが、歯胚細胞は担体上で培養されることが好ましい。担体の使用は、細胞から歯胚組織を形成するのに有用である。担体としては、歯胚の形成に必要とされる時間を耐久することができ、かつその後、速やかに吸収されるものが好ましい。即ち、胃大網又は顎骨内などの生体内において適切な吸収速度と特性を有し、かつ細胞と高い親和性を有する材料から成る担体を使用することが好ましい。
担体の素材は、上記特性を満たすものであれば特に限定されないが、例えば、ポリグリコール酸（ｐｏｌｙｇｌｙｃｏｌｉｃ  ａｃｉｄ（ＰＧＡ））、ポリ（ＤＬ−ラクチド−コーグリコシド）（ＰＬＧＡ）、カプロラクトン、またはコラーゲンなどを使用することができ、あるいは象牙質などの天然材料を使用することもできる。
ＰＧＡは、Ａｌｂａｎｙ  Ｉｎｔｅｒｎａｔｉｏｎａｌ  Ｒｅｓｅａｒｃｈ  Ｃｏ．などから購入することができ、またＰＬＧＡはＳｉｇｍａ（ｃａｔ．Ｐ１８１６）から購入することができる。ＰＧＡの場合、吸収速度が速いため、ポリ（ＤＬ−ラクチド）（ＰＬＬＡ）を表面にコートして吸収期間を遅らせることもできる。さらに、ＰＧＡ、ＰＬＧＡまたはカプロラクトンなどの合成材料を使用する場合には、細胞の接着性を高めるために、表面にコラーゲン溶液をコートして使用することができる。
上記の担体の形態としては、メッシュ形態、スポンジ形態、ゲル形態などが可能である。中でも、ゲル形態の担体は、メッシュ形態やスポンジ形態の担体と比較して、細胞同士の接触が容易になるため歯胚細胞の培養のための担体として有用である。
担体は細胞を移植しやすい形状に加工したものが好ましく、板状、球状あるいは中空で一端が開放されており、周囲から血行が導入されやすい部位を有することが好ましい。
担体は、目的に適合した形態のものを作製することが好ましい。このためには、目的とする形態をレジンで作製した後に印象材を用いて型を取得する。その後、レジンの型を取り出し、担体を構成する合成材料を流しこむことによって目的の形態を再現することができる。
本発明の方法では、歯胚細胞を機械的刺激を与えながら培養した後に、該培養細胞を移植動物に移植し、該移植動物の体内で歯胚を再生させてもよいし、該培養細胞を直接患者の顎骨に移植してもよい。好ましくは、歯胚細胞の培養の際に用いた担体も歯胚細胞と一緒に、移植動物の体内に移植される。
移植動物の種類は特に限定されないが、好ましくは哺乳動物であり、例えば、ラット（ヌードラットなど）、ウサギ又はマウスなどのげっ歯類動物を使用することができる。移植の部位としては、歯胚の形成に必要な因子を供給しやすい部位が好ましく、具体的には、血流の豊富な部位が好ましく、例えば、腹腔内の胃大網などが特に好ましい。このような部位に移植することにより、歯胚細胞の成長を促進することができ、歯胚の形成を早めることが可能となる。
上記した本発明による歯胚の再生方法により再生した歯胚（歯胚細胞を機械的刺激を与えながら培養して得られる歯胚組織、あるいはこの歯胚組織を移植動物に移植し、該移植動物の体内でさらに再生させた歯胚組織の何れでもよい）は、歯牙の欠損又は損傷を有する患者の顎骨に移植することによって、該歯科患者を治療することができる。即ち、本発明による歯胚の再生方法により得られた歯胚を用いる歯科患者の治療方法も本発明の範囲内のものである。歯科患者の顎骨内に移植された後も歯胚の成長を継続させることにより、歯牙を形成させることができる。あるいは歯根までを患者の体外で形成させた後、これを患者の顎骨内に移植し、従来の歯科的な手法により歯冠を形成してもよい。
以下の実施例により本発明をさらに具体的に説明するが、本発明は実施例によって限定されるものではない。
実施例
実施例１：機械的刺激を用いた歯胚再生
生後数ヶ月の新鮮豚から下顎骨を採取した。実験に使用するまでは４℃の冷蔵庫にて保存し、運搬中は氷上にて保存した。埋伏歯を無菌的に取り出し、Ｈａｎｋｓ  ｂａｌａｎｃｅｄ  ｓａｌｔ  ｓｏｌｕｔｉｏｎ（ＨＢＳＳ）溶液にて保存した。歯牙の中の石灰化した部分を取り除き，メスにて組織を約２ｍｍの小片にした。ＨＢＳＳ溶液にて小片にした組織を約５回洗浄した。
コラゲナーゼ（２ｍｇ／ｍｌ）とディスパーゼＩ１Ａを３５ｍｌのＨＢＳＳ溶液に溶解した酵素溶液を用いて、洗浄した組織を３０分間酵素処理した。
２５ｍｌ用のピペットを用いて１０分間ピペッティングした。２５ｍｌの上澄み液を遠心（１５００ｒｐｍ，１０分）して細胞を回収した（１５００ｒｐｍ，１０分）（回収細胞１とする）。残りの１０ｍｌコラゲナーゼ溶液中の組織を１０ｍｌのピペットにて１０分間ピペッティングした（回収細胞２とする）。回収細胞１を回収細胞２に混ぜて再度遠心して細胞を回収した。１０％血清入り培地にて３回洗浄した後に遠心することによって細胞を回収した。
単離した細胞を１×１０６ｃｅｌｌ／ｍｌに調整し、３×１０６ｃｅｌｌを一個の担体（コラーゲンスポンジ担体（空孔率９９％、ニプロ，日本））に播種した。細胞を播種した担体を実験群では移植前に１２時間振盪器にて５０回／分振盪させた。対照群においては、静置培養を１２時間行った。細胞の培養培地としては、Ｄｕｌｂｅｃｃｏ’ｓ  Ｍｏｄｉｆｉｅｄ  Ｅａｇｌｅ  Ｍｅｄｉｕｍに１０％牛胎児血清を加えたものとグルタミン酸と抗生剤を含有したものを用いた。また、細胞の培養は、３７℃，ＣＯ２  ５％という条件下で行った。
移植動物としてはＦ３４４ヌードラットを用いた。Ｆ３４４ヌードラットを開腹後、培養後の細胞を大網に移植した。培養後の細胞は１５週間移植した後、摘出した。
１５週間移植された細胞は、歯胚様の硬組織を形成し、象牙質に相当すると考えられる石灰化物を認めた（図１Ａ）。さらに、機械的刺激により石灰化が促進され（図１Ｂ）、肉眼的所見にて対照群の約２倍の大きさの歯胚様組織が形成された（図２）。これは、機械的刺激によって、細胞の分化誘導のみでなく、細胞増殖が促進され、またその生存率が高まったことによると考えられる。また、このような機械的ストレスに代表される歯胚細胞の増殖促進技術により、採取した一つの歯胚細胞を分離、培養することで複数の歯胚を再生できることが示された。
１５週間移植後に得られた歯胚様組織を、ＲＴ−ＰＣＲを用いて評価した。その結果、図３に示すとおり、象牙質を形成する象牙芽細胞のマーカーであるボーンシアロプロテイン（ＢＳＰ）及びデンチンシアロフォスホプロテイン（ＤＳＰＰ）、また、エナメル質を形成するエナメル芽細胞のマーカーであるアメロジェニンのｍＲＮＡを発現していることが判明しており、歯胚を構成している組織が再生されていることが示された。
実施例２：Ｉｎ  ｖｉｔｒｏでの硬組織形成能の比較
実施例１と同様の方法で、新鮮豚から単離した細胞１×１０７個を、ポリグリコール酸担体（ポリグリコール酸メッシュ（Ａｌｂａｎｙ  Ｉｎｔｅｒｎａｔｉｏｎａｌ  Ｒｅｓｅａｒｃｈ  Ｃｏ．製）にタイプＩコラーゲンをコートした担体）約１０ｍｇに播種し、接着させた。細胞を播種した担体を培地中に入れ、実験群では２４時間振盪器にて５０回／分振盪させた。対照群においては静置培養を２４時間行った。その後、各々７日間培養を続けた。細胞の培地としては、Ｍｉｎｉｍｕｍ  Ｅｓｓｅｎｔｉａｌ  Ｍｅｄｉｕｍに１０％牛胎児血清、２％グルタミン酸及び２％ペニシリン／ストレプトマイシン（１００ｕｎｉｔｓ／１００μｇ／ｍｌ）を添加したものを用いた。また、細胞の培養は、３７℃、５％炭酸ガス雰囲気下で行った。
培養後１日、５日及び７日目において、ＷＳＴ−８  ｋｉｔを用いて細胞数を計測後、アルカリフォスファターゼ活性を測定した（Ｌｏｗｒｙの方法による）。その結果を図４に示す。
図４の結果から、機械的刺激を加えた細胞群では、硬組織を形成する細胞の指標であるアルカリフォスファターゼ活性が７日目に著しく上昇しており、歯胚再生において機械刺激が有利な効果を与えることが判明した。
また、７日間培養した細胞を用い、エナメル質を形成するエナメル芽細胞のマーカーであるアメロジェニンのｍＲＮＡをＲＴ−ＰＣＲにて比較した。その結果を図５に示す。
図５の結果から、機械刺激を加えた細胞群の方がアメロジェニンを多く発現しており、歯胚再生において機械刺激が有利な効果を与えることが判明した。
産業上の利用の可能性
本発明の方法を利用して、移植動物の体内または培地上で象牙質、歯乳頭、エナメル髄などの歯胚構造を形成してから、あるいは歯胚構造を形成するように分化誘導された細胞塊を担体とともに歯科患者の顎骨内に移植することにより、歯根または歯牙を再生させることができる。この結果、歯牙を欠損した患者の咀嚼能力の回復に極めて有効な治療となる。また、審美的な回復も見込まれ、患者のＱｕａｌｉｔｙ  ｏｆ  Ｌｉｆｅ（ＱＯＬ）の向上に大きく貢献する。また、本発明の方法では、増殖、転写因子など生理活性物質を用いることにより再生に要する期間を短縮し、あるいは分化誘導を促進することができる。
【図面の簡単な説明】
図１は、移植後１５週間後の細胞の様子を示す図である。図１Ａでは、歯胚様の硬組織を形成し、象牙質に相当すると考えられる石灰化物を認めた。また、機械的刺激により石灰化が促進された。
図２は、機械的（Ｍｅｃｈａｎｉｃａｌ）刺激を加えた（＋）場合と加えない（−）場合で、歯胚様組織が形成の大きさを比較した図である。
図３は、ＲＴ−ＰＣＲの結果を示す。
図４は、機械刺激の有無によるアルカリフォスファターゼ活性の経時変化を示す。
図５は、機械刺激の有無によるアメロジェニンのｍＲＮＡ発現の比較を示す（機械刺激有りを（＋）と記載。機械刺激無しを（−）と記載。）。
【図１】
2003101503.tif 000003
【図２】
2003101503.tif 000004
【図３】
2003101503.tif 000005
【図４】
2003101503.tif 000006
【図５】
2003101503.tif 000007
【国際調査報告】
2003101503.tif 000008
2003101503.tif 000009
2003101503.tif 000010
2003101503.tif 000011
2003101503.tif 000012
2003101503.tif 000013